(57)【特許請求の範囲】
【請求項１】
タッチコンポーネントを用いてタッチ信号を取得するステップと、
前記タッチ信号が所定の条件を満たすか否かを検出するステップと、
前記タッチ信号が所定の条件を満たすと、指紋認識素子をウェークアップするステップと
を含み、
前記タッチコンポーネントは、タッチスクリーン、及び、前記タッチスクリーンの周囲に位置するタッチボタンを含み、
前記タッチ信号が所定の条件を満たすか否かを検出するステップは、
前記タッチスクリーンが取得した第１タッチ信号が第１所定の条件を満たすか否かを検出するステップと、
前記第１タッチ信号が前記第１所定の条件を満たすと、前記タッチボタンが取得した第２タッチ信号が、第２所定の条件を満たすか否かを検出するステップと
を含み、
前記指紋認識素子は、前記タッチボタン内に配置され、
前記第２タッチ信号、及び、前記タッチスクリーンが同一な時間に取得した第３タッチ信号に基づいて、タッチ対象が前記指紋認識素子の正しい収集位置に位置するか否かを検出するステップと、
前記タッチ対象が前記指紋認識素子の正しい収集位置に位置すると、前記指紋認識素子をウェークアップするステップと
をさらに含み、
ここで、前記第２タッチ信号と前記第３タッチ信号は、前記タッチ対象が同時に前記タッチボタン及び前記タッチスクリーンを接触する際にそれぞれ発生されるタッチ信号であることを特徴とする素子ウェークアップ方法。
【請求項２】
タッチコンポーネントを用いてタッチ信号を取得するステップと、
前記タッチ信号が所定の条件を満たすか否かを検出するステップと、
前記タッチ信号が所定の条件を満たすと、指紋認識素子をウェークアップするステップと
を含み、
前記タッチコンポーネントは、タッチスクリーン、及び、前記タッチスクリーンの周囲に位置するタッチボタンを含み、
前記タッチ信号が所定の条件を満たすか否かを検出するステップは、
前記タッチスクリーンが取得した第１タッチ信号が第１所定の条件を満たすか否かを検出するステップと、
前記第１タッチ信号が前記第１所定の条件を満たすと、前記タッチボタンが取得した第２タッチ信号が、第２所定の条件を満たすか否かを検出するステップと
を含み、
前記タッチボタンの周囲には、隣接タッチボタンがさらに配置され、
前記第２タッチ信号、及び、前記隣接タッチボタンが同一な時間に取得した第４タッチ信号に基づいて、タッチ対象が前記指紋認識素子の正しい収集位置に位置するか否かを検出するステップと、
前記タッチ対象が前記指紋認識素子の正しい収集位置に位置すると、前記指紋認識素子をウェークアップするステップと
をさらに含み、
ここで、前記第２タッチ信号と前記第４タッチ信号は、前記タッチ対象が同時に前記タッチボタン及び前記隣接タッチボタンを接触する際にそれぞれ発生されるタッチ信号である
ことを特徴とする素子ウェークアップ方法。
【請求項３】
前記タッチスクリーンが前記第１タッチ信号を取得する期間に、前記タッチスクリーンの、全部或いは一部のエッジ領域を遮蔽領域に設定するステップ
をさらに含むことを特徴とする請求項１又は２に記載の素子ウェークアップ方法。
【請求項４】
タッチコンポーネントを用いてタッチ信号を取得するための取得モジュールと、
前記タッチ信号が所定の条件を満たすか否かを検出するための検出モジュールと、
前記タッチ信号が所定の条件を満たすと、指紋認識素子をウェークアップするためのウェークアップモジュールと
を備え、
前記タッチコンポーネントは、タッチスクリーン、及び、前記タッチスクリーンの周囲に位置するタッチボタンを含み、
前記検出モジュールは、
前記タッチスクリーンが取得した第１タッチ信号が第１所定の条件を満たすか否かを検出するための第１検出サブモジュールと、
前記第１タッチ信号が前記第１所定の条件を満たすと、前記タッチボタンが取得した第２タッチ信号が、第２所定の条件を満たすか否かを検出するための第２検出サブモジュールと
を備え、
前記指紋認識素子は、前記タッチボタン内に配置され、
前記第２タッチ信号、及び、前記タッチスクリーンが同一な時間に取得した第３タッチ信号に基づいて、タッチ対象が前記指紋認識素子の正しい収集位置に位置するか否かを検出するための第１検出モジュール
をさらに備え、
前記ウェークアップモジュールは、前記タッチ対象が前記指紋認識素子の正しい収集位置に位置すると、前記指紋認識素子をウェークアップし、
ここで、前記第２タッチ信号と前記第３タッチ信号は、前記タッチ対象が同時に前記タッチボタン及び前記タッチスクリーンを接触する際にそれぞれ発生されるタッチ信号であることを特徴とする素子ウェークアップ装置。
【請求項５】
タッチコンポーネントを用いてタッチ信号を取得するための取得モジュールと、
前記タッチ信号が所定の条件を満たすか否かを検出するための検出モジュールと、
前記タッチ信号が所定の条件を満たすと、指紋認識素子をウェークアップするためのウェークアップモジュールと
を備え、
前記タッチコンポーネントは、タッチスクリーン、及び、前記タッチスクリーンの周囲に位置するタッチボタンを含み、
前記検出モジュールは、
前記タッチスクリーンが取得した第１タッチ信号が第１所定の条件を満たすか否かを検出するための第１検出サブモジュールと、
前記第１タッチ信号が前記第１所定の条件を満たすと、前記タッチボタンが取得した第２タッチ信号が、第２所定の条件を満たすか否かを検出するための第２検出サブモジュールと
を備え、
前記タッチボタンの周囲には、隣接タッチボタンがさらに配置され、
前記第２タッチ信号、及び、前記隣接タッチボタンが同一な時間に取得した第４タッチ信号に基づいて、タッチ対象が前記指紋認識素子の正しい収集位置に位置するか否かを検出するための第２検出モジュール
をさらに備え、
前記ウェークアップモジュールは、前記タッチ対象が前記指紋認識素子の正しい収集位置に位置すると、前記指紋認識素子をウェークアップし、
ここで、前記第２タッチ信号と前記第４タッチ信号は、前記タッチ対象が同時に前記タッチボタン及び前記隣接タッチボタンを接触する際にそれぞれ発生されるタッチ信号である
ことを特徴とする素子ウェークアップ装置。
【請求項６】
前記タッチスクリーンが前記第１タッチ信号を取得する期間に、前記タッチスクリーンの、全部或いは一部のエッジ領域を遮蔽領域に設定するための遮蔽モジュール
をさらに備えることを特徴とする請求項４又は５に記載の素子ウェークアップ装置。
【請求項７】
プロセッサと、
前記プロセッサが実行可能な命令を記憶するためのメモリと
を備え、
前記プロセッサは、
タッチコンポーネントを用いてタッチ信号を取得し、
前記タッチ信号が所定の条件を満たすか否かを検出し、
前記タッチ信号が所定の条件を満たすと、指紋認識素子をウェークアップするように構成され、
前記タッチコンポーネントは、タッチスクリーン、及び、前記タッチスクリーンの周囲に位置するタッチボタンを含み、
前記タッチ信号が所定の条件を満たすか否かを検出するステップは、
前記タッチスクリーンが取得した第１タッチ信号が第１所定の条件を満たすか否かを検出するステップと、
前記第１タッチ信号が前記第１所定の条件を満たすと、前記タッチボタンが取得した第２タッチ信号が、第２所定の条件を満たすか否かを検出するステップと
を含み、
前記指紋認識素子は、前記タッチボタン内に配置され、
前記プロセッサは、さらに、
前記第２タッチ信号、及び、前記タッチスクリーンが同一な時間に取得した第３タッチ信号に基づいて、タッチ対象が前記指紋認識素子の正しい収集位置に位置するか否かを検出し、
前記タッチ対象が前記指紋認識素子の正しい収集位置に位置すると、前記指紋認識素子をウェークアップするように構成され、
ここで、前記第２タッチ信号と前記第３タッチ信号は、前記タッチ対象が同時に前記タッチボタン及び前記タッチスクリーンを接触する際にそれぞれ発生されるタッチ信号であることを特徴とする素子ウェークアップ装置。
【請求項８】
プロセッサと、
前記プロセッサが実行可能な命令を記憶するためのメモリと
を備え、
前記プロセッサは、
タッチコンポーネントを用いてタッチ信号を取得し、
前記タッチ信号が所定の条件を満たすか否かを検出し、
前記タッチ信号が所定の条件を満たすと、指紋認識素子をウェークアップするように構成され、
前記タッチコンポーネントは、タッチスクリーン、及び、前記タッチスクリーンの周囲に位置するタッチボタンを含み、
前記タッチ信号が所定の条件を満たすか否かを検出するステップは、
前記タッチスクリーンが取得した第１タッチ信号が第１所定の条件を満たすか否かを検出するステップと、
前記第１タッチ信号が前記第１所定の条件を満たすと、前記タッチボタンが取得した第２タッチ信号が、第２所定の条件を満たすか否かを検出するステップと
を含み、
前記タッチボタンの周囲には、隣接タッチボタンがさらに配置され、
前記プロセッサは、さらに、
前記第２タッチ信号、及び、前記隣接タッチボタンが同一な時間に取得した第４タッチ信号に基づいて、タッチ対象が前記指紋認識素子の正しい収集位置に位置するか否かを検出し、
前記タッチ対象が前記指紋認識素子の正しい収集位置に位置すると、前記指紋認識素子をウェークアップするように構成され、
ここで、前記第２タッチ信号と前記第４タッチ信号は、前記タッチ対象が同時に前記タッチボタン及び前記隣接タッチボタンを接触する際にそれぞれ発生されるタッチ信号であることを特徴とする素子ウェークアップ装置。
【請求項９】
プロセッサに実行されることにより、請求項１から請求項３のいずれか１項に記載の素子ウェークアップ方法を実現することを特徴とするプログラム。
【請求項１０】
請求項９に記載のプログラムが記録された記録媒体。
【発明の詳細な説明】
【相互参照】
【０００１】
本願は、出願番号がＣＮ２０１５１０１３８３６３.６であって、出願日が２０１５年３月２６日であり、発明名称が「素子ウェークアップ方法、及び装置」である中国特許出願に基づいて優先権を主張し、当該中国特許出願のすべての内容を援用する。
【技術分野】
【０００２】
本発明は、モバイル端末分野に関し、特に、素子ウェークアップ方法、装置、プログラム及び記録媒体に関する。
【背景技術】
【０００３】
指紋認識技術は、例えば、スマートフォン、タブレットＰＣ、及び、ノートＰＣのようなモバイル端末において、幅広く利用されている。
【０００４】
スマートフォンの例を挙げると、スマートフォンのタッチボタンに一つの指紋認識素子が配置されている。ユーザは、スマートフォンを起動する時に、当該指紋認識素子を用いて自身の指紋を認識して、認識できた後にのみ、スマートフォンを起動することができる。ユーザは、敏感な操作を実行しようとすると、当該指紋認識素子を用いて自身の指紋を認識して、認識できた後にのみ、当該敏感な内容に関する操作を実行することができる。
【０００５】
しかし、指紋認識素子は、指紋認識素子の消費電力がより大きいが、モバイル端末においてはバッテリーを利用して電力を供給するため、モバイル端末のバッテリーの連続使用時間に大きい影響を及ぼしてしまう。関連技術では、主に、モバイル端末のバッテリーの容量を増やして、当該問題を解決している。
【発明の概要】
【０００６】
本発明の実施例は、素子ウェークアップ方法、装置、プログラム及び記録媒体を提供する。
【０００７】
上記の構成は、以下のとおりである。
【０００８】
本発明の実施例に係る第１の態様によると、素子ウェークアップ方法を提供する。
【０００９】
当該方法は、
タッチコンポーネントを用いてタッチ信号を取得するステップと、
タッチ信号が所定の条件を満たすか否かを検出するステップと、
タッチ信号が所定の条件を満たすと、指紋認識素子をウェークアップするステップと
を含む。
【００１０】
一実施例において、タッチコンポーネントは、タッチスクリーン、及び、タッチスクリーンの周囲に位置するタッチボタンを含み、
タッチ信号が所定の条件を満たすか否かを検出するステップは、
タッチスクリーンが取得した第１タッチ信号が第１所定の条件を満たすか否かを検出するステップと、
第１タッチ信号が第１所定の条件を満たすと、タッチボタンが取得した第２タッチ信号が第２所定の条件を満たすか否かを検出するステップと
を含む。
【００１１】
一実施例において、当該方法は、
第１タッチ信号が第１所定の条件を満たすと、ウェークアップされた後に第２タッチ信号を取得するためのタッチボタンをウェークアップするステップ
をさらに含む。
【００１２】
一実施例において、指紋認識素子は、タッチボタン内に配置され、
当該方法は、
第２タッチ信号、及び、タッチスクリーンが同一な時間に取得した第３タッチ信号に基づいて、タッチ対象が指紋認識素子の正しい収集位置に位置するか否かを検出するステップと、
タッチ対象が指紋認識素子の正しい収集位置に位置すると、指紋認識素子をウェークアップするステップと
をさらに含み、
ここで、第２タッチ信号と第３タッチ信号は、タッチ対象が同時にタッチボタン及びタッチスクリーンを接触する際にそれぞれ発生されるタッチ信号である。
【００１３】
一実施例において、当該方法は、
タッチスクリーンが第１タッチ信号を取得する期間に、タッチスクリーンの、全部或いは一部エッジ領域を遮蔽領域に設定するステップ
をさらに含む。 
【００１４】
本発明の実施例に係る第２の態様によると、素子ウェークアップ装置を提供する。
【００１５】
当該装置は、
タッチコンポーネントを用いてタッチ信号を取得するための取得モジュールと、
タッチ信号が所定の条件を満たすか否かを検出するための検出モジュールと、
タッチ信号が所定の条件を満たすと、指紋認識素子をウェークアップするためのウェークアップモジュールと
を備える。
【００１６】
一実施例において、タッチコンポーネントは、タッチスクリーン、及び、タッチスクリーンの周囲に位置するタッチボタンを含み、
検出モジュールは、
タッチスクリーンが取得した第１タッチ信号が第１所定の条件を満たすか否かを検出するための第１検出サブモジュールと、
第１タッチ信号が第１所定の条件を満たすと、タッチボタンが取得した第２タッチ信号が第２所定の条件を満たすか否かを検出するための第２検出サブモジュールと
を備える。
【００１７】
一実施例において、装置は、
第１タッチ信号が第１所定の条件を満たすと、ウェークアップされた後に第２タッチ信号を取得するためのタッチボタンをウェークアップするためのボタンウェークアップサブモジュール
をさらに備える。
【００１８】
一実施例において、指紋認識素子は、タッチボタン内に配置され、
当該装置は、
第２タッチ信号、及び、タッチスクリーンが同一な時間に取得した第３タッチ信号に基づいて、タッチ対象が指紋認識素子の正しい収集位置に位置するか否かを検出するための第１検出モジュールと、
タッチ対象が指紋認識素子の正しい収集位置に位置すると、指紋認識素子をウェークアップするためのウェークアップモジュールと
をさらに備え、
ここで、第２タッチ信号と第３タッチ信号は、タッチ対象が同時にタッチボタン及びタッチスクリーンを接触する際にそれぞれ発生されるタッチ信号である。
【００１９】
一実施例において、当該装置は、
タッチスクリーンが第１タッチ信号を取得する期間に、タッチスクリーンの、全部或いは一部エッジ領域を遮蔽領域に設定するための遮蔽モジュール
をさらに備える。 
【００２０】
本発明の実施例に係る第３の態様によると、素子ウェークアップ装置を提供する。
【００２１】
当該装置は、
プロセッサと、
プロセッサが実行可能な命令を記憶するためのメモリと
を備え、
プロセッサは、
タッチコンポーネントを用いてタッチ信号を取得し、
タッチ信号が所定の条件を満たすか否かを検出し、
タッチ信号が所定の条件を満たすと、指紋認識素子をウェークアップする
ように構成される。
本発明の実施例の第４の態様によると、プログラムを提供し、当該プログラムは、プロセッサに実行されることにより、上記の素子ウェークアップ方法を実現する。
本発明の実施例の第５の態様によると、記録媒体を提供し、当該記録媒体には、上記プログラムが記録されている。
【００２２】
本発明の実施例が提供する構成の有益な効果は以下のとおりである。
【００２３】
タッチコンポーネントが取得したタッチ信号が所定の条件を満たすと、指紋認識素子をウェークアップすることにより、指紋認識素子がモバイル端末のバッテリーの連続使用時間に大きい影響を及ぼす問題を解決して、指紋認識素子が一部の場面にのみウェークアップされ、大部の期間には休止状態になって、モバイル端末のバッテリーの連続使用時間に大きい影響を及ぼさなくなる効果を得た。
【００２４】
以上の統括な記述と以下の細部記述は、ただ例示的なものであり、本発明を制限するものではないと、理解するべきである。
【図面の簡単な説明】
【００２５】
ここでの図面は、明細書に合併されて本明細書の一部を構成して本発明に合致する実施例を示し、明細書とともに本発明の原理の説明するに用いられる。
【００２６】
【図１】例示的な一実施例に係るモバイル端末を示すブロック図である。
【図２】例示的な一実施例に係る素子ウェークアップ方法を示すフローチャートである。
【図３Ａ】例示的なもう一実施例に係る素子ウェークアップ方法を示すフローチャートである。
【図３Ｂ】図３Ａに示した素子ウェークアップ方法に係る領域の模式図である。
【図４】例示的なもう一実施例に係る素子ウェークアップ方法を示すフローチャートである。
【図５Ａ】例示的な一実施例に係るモバイル端末の内部構成を示す模式図である。
【図５Ｂ】例示的なもう一実施例に係るモバイル端末の内部構成を示す模式図である。
【図６】例示的なもう一実施例に係る素子ウェークアップ方法に係る領域の模式図である。
【図７】例示的なもう一実施例に係る素子ウェークアップ方法を示すフローチャートである。
【図８】例示的なもう一実施例に係る素子ウェークアップ方法の実施を示す模式図である。
【図９】例示的なもう一実施例に係る素子ウェークアップ方法を示すフローチャートである。
【図１０】例示的なもう一実施例に係る素子ウェークアップ方法の実施を示す模式図である。
【図１１】例示的な一実施例に係る素子ウェークアップ装置を示すブロック図である。
【図１２】例示的なもう一実施例に係る素子ウェークアップ装置を示すブロック図である。
【図１３】例示的なもう一実施例に係る素子ウェークアップ装置を示すブロック図である。
【００２７】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２８】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２９】
図１は、例示的な一実施例に係るモバイル端末の構成を示す模式図である。当該モバイル端末１００は、タッチスクリーン１２２、タッチスクリーン１２２の周囲に配置されたタッチボタン１２４、指紋認識素子１４０、及びプロセッサ１６０を含む。
【００３０】
タッチスクリーン１２２とタッチボタン１２４とを、タッチコンポーネントと総称してもよい。タッチスクリーン１２２とタッチボタン１２４の動作は、タッチＩＣ（ｉｎｔｅｇｒａｔｅｄ ｃｉｒｃｕｉｔ、集積回路）よって制御される。タッチＩＣは、図１において省略した。
【００３１】
タッチボタン１２４は、一般的に、タッチスクリーン１２２の下方の中央に配置されたボタンである。モバイル端末の前面は、一つのボタン、即ち、タッチボタン１２４を含む。或いは、モバイル端末の前面は、三つのボタン、即ち、中央に位置するタッチボタン１２４、及び、タッチボタン１２４の両側に位置する他のタッチボタン１２５を含む。図１は、説明を簡素化するために、モバイル端末の前面が三つのボタンを含む例を挙げるが、本発明においてはこれに対して限定しない。
【００３２】
指紋認識素子１４０は、タッチボタン１２４内に配置される。指紋認識素子１４０は、ユーザの指紋を認識できる機能を有する。他の実施例において、指紋認識素子１４０は、モバイル端末の背面に配置される。
【００３３】
タッチコンポーネント及び指紋認識素子１４０は、それぞれ、プロセッサ１６０に電気的に接続される。
【００３４】
図２は、例示的な一実施例に係る素子ウェークアップ方法を示すフローチャートである。本実施例においては、当該素子ウェークアップ方法を、図１に示したモバイル端末に適用する例を挙げて、説明する。
【００３５】
当該方法は、以下のステップを含む。
【００３６】
ステップ２０２において、タッチコンポーネントを用いてタッチ信号を取得する。
【００３７】
ステップ２０４において、タッチ信号が所定の条件を満たすか否かを検出する。
【００３８】
ステップ２０６において、タッチ信号が所定の条件を満たすと、指紋認識素子をウェークアップする。
【００３９】
上記のように、本実施例によって提供する素子ウェークアップ方法によると、タッチコンポーネントが取得したタッチ信号が所定の条件を満たすと、指紋認識素子をウェークアップすることにより、指紋認識素子がモバイル端末のバッテリーの連続使用時間に大きい影響を及ぼす問題を解決して、指紋認識素子が一部の場面にのみウェークアップされ、大部の期間には休止状態になって、モバイル端末のバッテリーの連続使用時間に大きい影響を及ぼさなくなる効果を得た。
【００４０】
図３Ａは、例示的なもう一実施例に係る素子ウェークアップ方法を示すフローチャートである。本実施例においては、当該素子ウェークアップ方法を図１に示したモバイル端末に適用する例を挙げて、説明する。当該方法は、以下のステップを含む。
【００４１】
ステップ３０２において、タッチスクリーンを用いて第１タッチ信号を収集する。
【００４２】
モバイル端末は、ユーザがタッチスクリーンをタッチすると、タッチスクリーンを用いて第１タッチ信号を収集する。
【００４３】
モバイル端末は、ユーザがタッチボタンをタッチすると、タッチボタンを用いて第２タッチ信号を収集する。
【００４４】
図３Ｂに示したように、モバイル端末は、ユーザの指が、タッチスクリーン１２２の中央から下側へタッチボタン１２４までスライドした後にストップすると、まず、タッチスクリーン１２２を用いて第１タッチ信号を収集し、さらに、タッチボタン１２４を用いて第２タッチ信号を収集する。
【００４５】
ステップ３０４において、タッチスクリーンが取得した第１タッチ信号が第１所定の条件を満たすか否かを検出する。
【００４６】
第１所定の条件は、単一のタッチ対象が、スライド範囲内で始点領域から終点領域までスライドすることを含むが、これに限定されない。
【００４７】
オプションとして、当該始点領域は、図３Ｂにおいてタッチスクリーン１２２の中央に位置する楕円領域３２であってもよく、終点領域は、図３Ｂにおいてタッチスクリーン１２２の下部に位置する楕円領域３４であってもよい。スライド範囲は、楕円領域３２と楕円領域３４との間に位置する長方形領域３６である。
【００４８】
第１タッチ信号が第１所定の条件を満たすと、ステップ３０６に進み、第１タッチ信号が第１所定の条件を満たさないと、ステップ３０９に進む。
【００４９】
ステップ３０６において、第１タッチ信号が第１所定の条件を満たすと、タッチボタンが取得した第２タッチ信号が第２所定の条件を満たすか否かを検出する。
【００５０】
第２所定の条件は、タッチ対象がタッチボタンをタッチし続けて発生された信号量が、所定の閾値より大きいことを含むが、これに限定されない。当該信号量は、タッチ対象のタッチボタンにおける接触面積及び継続時間に関連する。
【００５１】
当該第２所定の条件は、ユーザの指がタッチボタン上でストップしたか否かを検出できる。
【００５２】
第２タッチ信号が第２所定の条件を満たすと、ステップ３０８に進み、第２タッチ信号が第２所定の条件を満たさないと、ステップ３０９に進む。
【００５３】
ステップ３０８において、第２タッチ信号が第２所定の条件を満たすと、指紋認識素子をウェークアップする。
【００５４】
指紋認識素子は、モバイル端末がスタンバイ状態にある時には、休止状態にある。ユーザのタッチ信号が所定の条件を満たす時にのみ、ウェークアップされる。ウェークアップされた後の指紋認識素子は、指紋認識機能を実行する。
【００５５】
ステップ３０９において、指紋認識素子は、休止状態を維持する。
【００５６】
上記のように、本実施例によって提供する素子ウェークアップ方法によると、まず、タッチスクリーンを用いて第１タッチ信号を収集してから、タッチボタンを用いて第２タッチ信号を収集し、また、第１タッチ信号及び第２タッチ信号がすべて所定の条件を満たすと、指紋認識素子をウェークアップすることにより、指紋認識素子がモバイル端末のバッテリーの連続使用時間に大きい影響を及ぼす問題を解決して、指紋認識素子が一部の場面にのみウェークアップされ、大部の期間には休止状態になって、モバイル端末のバッテリーの連続使用時間に大きい影響を及ぼさなくなる効果を得た。
【００５７】
本実施例によって提供する素子ウェークアップ方法によると、第２所定の条件を巧みに設計することにより、ユーザの指がタッチボタンの上方にストップするようにして、即ち、ユーザの指が、指紋認識素子が動作するのに必要な状態にある時に、指紋認識素子をウェークアップして指紋認識を実行する。このようにして、ユーザの指の移動が指紋認識に及ぼす影響を避けて、指紋認識の正確度を高めた。
【００５８】
一実施例として、タッチスクリーンは、第１タッチ信号を収集する時に、スクリーン消灯検出状態（ｓｃｒｅｅｎ−ｅｘｔｉｎｇｕｉｓｈｅｄ ｄｅｔｅｃｔｉｎｇ ｓｔａｔｅ）にあり、即ち、低消費電力の動作状態にある。
【００５９】
もう一実施例として、図４に示したように、ステップ３０６の前に、以下のステップをさらに含んでもよい。
【００６０】
ステップ３０５において、タッチボタンをウェークアップする。
【００６１】
タッチボタンも、初期に、休止状態にある。モバイル端末は、タッチスクリーンが取得した第１タッチ信号が第１所定の条件を満たすと、ウェークアップされた後に第２タッチ信号を取得するためのタッチボタンをウェークアップする。
【００６２】
本実施例によって提供する素子ウェークアップ方法によると、タッチボタンも初期に休止状態にあるようにすることにより、消費電力をさらに削減して、モバイル端末のバッテリーの連続使用時間を増加できる。
【００６３】
図５Ａに示したように、タッチスクリーン１２２とタッチボタン１２４は、一つのタッチＩＣによって制御されてもよいが、図５Ｂに示したように、複数のタッチＩＣによって制御されてもよく、この時、タッチスクリーン１２２は第１タッチＩＣ２２に接続され、タッチボタン１２４は第２タッチＩＣ２４に接続され、第１タッチＩＣ２２及び第２タッチＩＣ２４はそれぞれプロセッサ１６０に接続されてもよいことを説明する必要がある。
【００６４】
タッチスクリーン１２２及びタッチボタン１２４が一つのタッチＩＣによって制御される時、ステップ３０４は、モバイル端末のプロセッサ、或いは、タッチＩＣによって実行される。ステップ３０４がタッチＩＣによって実行される時、第１タッチ信号が第１タッチ条件を満たすと、タッチＩＣによりタッチボタン１２４を直接ウェークアップする。プロセッサ１６０は、この過程の処理に参与せず、この過程に休止状態を維持することにより、消費電力をもう一層削減できる。
【００６５】
タッチスクリーン１２２及びタッチボタン１２４が複数のタッチＩＣによって制御される時、ステップ３０４は、モバイル端末のプロセッサによって実行されるか、或いは、第１タッチＩＣ２２によって実行される。ステップ３０４が第１タッチＩＣ２２によって実行される時、第１タッチ信号が第１タッチ条件を満たすと、第１タッチＩＣ２２は、プロセッサ１６０を介するか、或いは、ＩＣ間の通信によって第２タッチＩＣ２４と通信して、タッチボタン１２４をウェークアップする。第１タッチＩＣ２２と第２タッチＩＣ２４とがＩＣ間の通信を利用する時、プロセッサ１６０は、この過程に参与せず、この過程に休止状態を維持することにより、消費電力をもう一層削減できる。
【００６６】
もう一実施例として、ユーザがモバイル端末を持つ時に、指は、タッチスクリーン１２２のエッジ領域に、誤って接触するおそれがある。モバイル端末は、タッチスクリーン１２２が第１タッチ信号を取得する時に、タッチスクリーン１２２の、全部或いは一部のエッジ領域を遮蔽領域に設定する。図６に示したように、タッチスクリーン１２２が第１タッチ信号を取得する過程において、タッチスクリーン１２２の、四つのエッジ領域６２の全部を遮蔽領域に設定する。この時、ユーザの指がエッジ領域６２に誤って接触したとしても、モバイル端末の、第１タッチ信号が第１所定の条件を満たすか否かの検出に、影響を及ぼさない。 
【００６７】
エッジ領域６２の大きさは、予め設定してもよい。遮蔽領域を実現する一方法において、遮蔽領域においてタッチ信号を収集しないでもよい。遮蔽領域を実現するもう一方法において、遮蔽領域においてタッチ信号を収集するが、屏幕領域において収集したタッチ信号に対して処理しないでもよい。 
【００６８】
指紋認識素子の収集領域は、限られており、一般的に、タッチボタンのボタン面積より小さい。ユーザの指がタッチボタン上にストップされている時に、指の位置が指紋認識素子の収集領域に完全に位置されていないため、指紋認識を正常に完成できないおそれがある。このため、以下の実施例を提供する。
【００６９】
図７は、もう一実施例に係る素子ウェークアップ方法を示すフローチャートである。本実施例においては、当該素子ウェークアップ方法を図１又は図５Ｂに示したモバイル端末に適用する例を挙げて説明する。当該方法は、以下のステップを含む。
【００７０】
ステップ７０１において、タッチスクリーンを用いて第１タッチ信号を取得する。
【００７１】
プロセッサ及びタッチボタンは、モバイル端末がスタンバイ状態にあると、すべて、休止状態にある。タッチスクリーンは、低消費電力のスクリーン消灯検出状態にある。
【００７２】
モバイル端末は、ユーザの指がタッチスクリーンをタッチすると、タッチスクリーンを用いて第１タッチ信号を取得する。タッチスクリーンは、低消費電力のスクリーン消灯検出状態にあってもよい。
【００７３】
図３Ｂに示したように、モバイル端末は、ユーザの指がタッチスクリーン１２２の中央から下方へスライドすると、まず、タッチスクリーン１２２を用いて第１タッチ信号を取得する。
【００７４】
ステップ７０２において、タッチスクリーンが取得した第１タッチ信号が第１所定の条件を満たすか否かを検出する。
【００７５】
タッチスクリーンに接続された第１タッチＩＣは、タッチスクリーンが取得した第１タッチ信号が第１所定の条件を満たすか否かを検出する。
【００７６】
第１所定の条件は、単一のタッチ対象がスライド範囲内で始点領域から終点領域までスライドすることを含むが、これに限定されない
【００７７】
ステップ７０３において、第１タッチ信号が第１所定の条件を満たすと、タッチボタンをウェークアップする。
【００７８】
第１タッチＩＣは、第１タッチ信号が第１所定の条件を満たすと、ＩＣ間の通信によって、第２タッチＩＣにウェークアップ信号を送信する。第２タッチＩＣは、当該ウェークアップ信号に基づいて、タッチボタンをウェークアップする。タッチボタンは、ウェークアップされた後に、第２タッチ信号を取得する。
【００７９】
第２タッチ信号及び第１タッチ信号は、一般的に、ユーザの一回のスライド操作によって発生された信号であることを説明する必要がある。当該スライド操作は、タッチスクリーン１２２の中央から下方へタッチボタン１２４までスライドしてからストップする信号である。
【００８０】
ステップ７０４において、タッチボタンを用いて第２タッチ信号を取得する同時に、タッチスクリーンを用いて第３タッチ信号を取得する。
【００８１】
モバイル端末は、ユーザの指がタッチボタンまでスライドすると、タッチボタンを用いて第２タッチ信号を取得する。
【００８２】
タッチスクリーンとタッチボタンとの間の距離がより短いため、指の大部はタッチボタン上に位置するが、指の一部はタッチスクリーン上に位置する。即ち、タッチボタンを用いて第２タッチ信号を取得する同時に、タッチスクリーンを用いて第３タッチ信号を取得することになる。第２タッチ信号と第３タッチ信号は、タッチ対象（指）が同時にタッチボタンとタッチスクリーンとを接触する際にそれぞれ発生されるタッチ信号である。
【００８３】
ステップ７０５において、タッチボタンが取得した第２タッチ信号が第２所定の条件を満たすか否かを検出する。
【００８４】
タッチボタンに接続された第２タッチＩＣは、タッチボタンが取得した第２タッチ信号が第２所定の条件を満たすか否かを検出する。
【００８５】
第２所定の条件は、タッチ対象がタッチボタン上をタッチし続けて発生された信号量が所定の閾値より大きいことを含むが、これに限定されない
【００８６】
当該第２所定の条件は、ユーザの指がタッチボタン上でストップしたか否かを検出できる。
【００８７】
ステップ７０６において、第２タッチ信号が第２所定の条件を満たすと、第２タッチ信号、及び、タッチスクリーンが同一な時間に取得した第３タッチ信号に基づいて、タッチ対象が指紋認識素子の正しい収集位置に位置するか否かを検出する。
【００８８】
モバイル端末は、指の大部がタッチボタンに位置し、指の一部がタッチスクリーンに位置すると、指がタッチスクリーン上で発生した第３タッチ信号に基づいて、ユーザの指の位置に対して、一定の程度の認識を行うことができる。
【００８９】
即ち、モバイル端末は、第２タッチ信号、及び、タッチスクリーンが同一な時間に取得した第３タッチ信号に基づいて、タッチ対象が指紋認識素子の正しい収集位置に位置するか否かを検出する。
【００９０】
第２タッチＩＣは、第２タッチ信号が第２所定の条件を満たすと、第１タッチＩＣに確認信号を送信する。第１タッチＩＣは、第３タッチ信号が所定ののタッチ範囲に属するか否かを検出して、当該タッチ範囲に属すると、ユーザの指が指紋認識素子の正しい収集位置に位置すると認識し、当該タッチ範囲を超えると、ユーザの指が指紋認識素子の正しい収集位置に位置していないと認識する。ここで、第２タッチＩＣが第２タッチ信号を検出する動作、及び、第１タッチＩＣが第３タッチ信号を検出する動作も、プロセッサによって実施してもよい。
【００９１】
発明者により、当該タッチ範囲の大きさ及び位置を、事前に、複数回の実際のシミュレーションを行って特定できる。図８を参照すると、当該タッチ範囲は、一般的に、タッチスクリーンにおいての、タッチボタンに隣接するエッジ領域である。ユーザの指が当該タッチ範囲に位置すると、ユーザの指が指紋認識素子の正しい収集位置に位置すると認識し、ユーザの指が当該タッチ範囲を超えると、ユーザの指が指紋認識素子の正しい収集位置に位置しないと認識する。 
【００９２】
ステップ７０７において、ユーザの指が指紋認識素子の正しい収集位置に位置すると、指紋認識素子をウェークアップする。
【００９３】
指紋認識素子は、第２タッチ信号が第２タッチ条件を満たし、且つ、ユーザの指が指紋認識素子の正しい収集位置に位置すると、ウェークアップされる。ウェークアップされた後の指紋認識素子は、指紋認識機能を実行する。
【００９４】
上記のように、本実施例によって提供する素子ウェークアップ方法によると、第２タッチ信号及び第３タッチ信号を組み合わせて検出することにより、ユーザの指が指紋認識素子の正しい収集位置に位置する場合にのみ、指紋認識素子をウェークアップさせる。このようにして、指紋認識の失敗を防止して、消費電力をもっと削減できる。
【００９５】
もう一実施態様として、ステップ７０４乃至ステップ７０６を、図９を参照して、ステップ７０４ａ乃至ステップ７０６ａに切り替えてもよい。
【００９６】
ステップ７０４ａにおいて、タッチボタンを用いて第２タッチ信号を取得し、また、隣接タッチボタンを用いて第４タッチ信号を取得する。
【００９７】
モバイル端末は、ユーザの指がタッチボタンまでスライドすると、タッチボタンを用いて第２タッチ信号を取得する。
【００９８】
タッチボタンと隣接タッチボタンとの間の距離がより短いため、指の大部が中央に位置するタッチボタン上に位置する時に、指の一部は隣接するタッチボタン上に位置することになる。即ち、タッチボタンを用いて第２タッチ信号を取得する同時に、隣接タッチボタンを用いて第４タッチ信号を取得することになる。第２タッチ信号及び第４タッチ信号は、タッチ対象（指）が同時にタッチボタン及びタッチスクリーンを接触する際に発生されるタッチ信号である。
【００９９】
ステップ７０５ａにおいて、タッチボタンが取得した第２タッチ信号が第２所定の条件を満たすか否かを検出する。
【０１００】
タッチボタンに接続された第２タッチＩＣは、タッチボタンが取得した第２タッチ信号が第２所定の条件を満たすか否かを検出する。
【０１０１】
第２所定の条件は、タッチ対象がタッチボタン上をタッチし続けて発生された信号量が所定の閾値より大きいことを含むが、これに限定されない
【０１０２】
当該第２所定の条件は、ユーザの指が中央に位置するタッチボタン上でストップしたか否かを検出できる。
【０１０３】
ステップ７０６ａにおいて、第２タッチ信号が第２所定の条件を満たすと、第２タッチ信号、及び、隣接タッチボタンが同一な時間に取得した第４タッチ信号に基づいて、タッチ対象が指紋認識素子の正しい収集位置に位置するか否かを検出する。
【０１０４】
モバイル端末のプロセッサは、指の大部がタッチボタン上に位置し、指の一部が隣接タッチボタン上に位置すると、指がタッチスクリーン上で発生させた第４タッチ信号に基づいて、ユーザの指の位置に対して、一定の程度の認識を行うことができる。
【０１０５】
即ち、モバイル端末のプロセッサは、第２タッチ信号、及び、タッチスクリーンが同一な時間に取得した第４タッチ信号に基づいて、タッチ対象が指紋認識素子の正しい収集位置に位置するか否かを検出する。
【０１０６】
第２タッチＩＣは、第２タッチ信号が第２所定の条件を満たすと、さらに、第４タッチ信号の信号量が所定の閾値未満である否かを検出して、当該所定の閾値未満であると、ユーザの指が隣接タッチボタン上に位置する部分がより小さく、ユーザの指が指紋認識素子の正しい収集位置に位置すると認識し、当該所定の閾値を超えると、ユーザの指が隣接タッチボタン上に位置する部分がより多く、ユーザの指が指紋認識素子の正しい収集位置に位置しないと認識する。ここで、第２タッチＩＣが第２タッチ信号及び第４タッチ信号を検出する動作も、プロセッサによって実行してもよい。当該過程は、図１０を参照してもよい。
【０１０７】
以下は、本発明の装置の実施例であり、本発明の方法の実施例を実行することができる。本発明の装置の実施例において記述していない細部内容に対しては、本発明の方法の実施例を参照してください。
【０１０８】
図１１は、例示的な一実施例に係る素子ウェークアップ装置を示すブロック図である。当該素子ウェークアップ装置は、ソフトウェア、ハードウェア、或いは、両方の組合せによって、モバイル端末の一部或いは全部を実現されてもよい。当該素子ウェークアップ装置は、取得モジュール１１２０、検出モジュール１１４０、及びウェークアップモジュール１１６０を備えてもよい。
【０１０９】
取得モジュール１１２０は、タッチコンポーネントを用いてタッチ信号を取得する。
【０１１０】
検出モジュール１１４０は、タッチ信号が所定の条件を満たすか否かを検出する。
【０１１１】
ウェークアップモジュール１１６０は、タッチ信号が所定の条件を満たすと、指紋認識素子をウェークアップする。
【０１１２】
上記のように、本実施例によって提供する素子ウェークアップ装置によると、タッチコンポーネントが取得したタッチ信号が所定の条件を満たすと、指紋認識素子をウェークアップすることにより、指紋認識素子がモバイル端末のバッテリーの連続使用時間に大きい影響を及ぼす問題を解決して、指紋認識素子が一部の場面にのみウェークアップされ、大部の期間には休止状態になって、モバイル端末のバッテリーの連続使用時間に大きい影響を及ぼさなくなる効果を得た。
【０１１３】
図１２は、例示的なもう一実施例に係る素子ウェークアップ装置を示すブロック図である。当該素子ウェークアップ装置は、ソフトウェア、ハードウェア、或いは、両方の組合せによって、モバイル端末の一部或いは全部を実現されてもよい。当該素子ウェークアップ装置は、取得モジュール１１２０、検出モジュール１１４０、及びウェークアップモジュール１１６０を備えてもよい。
【０１１４】
取得モジュール１１２０は、タッチコンポーネントを用いてタッチ信号を取得する。
【０１１５】
検出モジュール１１４０は、タッチ信号が所定の条件を満たすか否かを検出する。
【０１１６】
ウェークアップモジュール１１６０は、タッチ信号が所定の条件を満たすと、指紋認識素子をウェークアップする。
【０１１７】
オプションとして、タッチコンポーネントは、タッチスクリーン、及び、タッチスクリーンの周囲に位置するタッチボタンを含み、
検出モジュール１１４０は、
タッチスクリーンが取得した第１タッチ信号が第１所定の条件を満たすか否かを検出するための第１検出サブモジュール１１４２と、
第１タッチ信号が第１所定の条件を満たすと、タッチボタンが取得した第２タッチ信号が第２所定の条件を満たすか否かを検出するための第２検出サブモジュール１１４４と
を備える。
【０１１８】
オプションとして、当該装置は、
第１タッチ信号が第１所定の条件を満たすと、ウェークアップされた後に第２タッチ信号を取得するためのタッチボタンをウェークアップするためのボタンウェークアップサブモジュール１１４３
を、さらに、備える。
【０１１９】
オプションとして、指紋認識素子は、タッチボタン内に配置され、
一実現方法として、当該装置は、
第２タッチ信号、及び、タッチスクリーンが同一な時間に取得した第３タッチ信号に基づいて、タッチ対象が指紋認識素子の正しい収集位置に位置するか否かを検出するための第１検出モジュール１１５２
をさらに備え、
ウェークアップモジュール１１６０は、タッチ対象が指紋認識素子の正しい収集位置に位置すると、指紋認識素子をウェークアップし、
ここで、第２タッチ信号及び第３タッチ信号は、タッチ対象が同時にタッチボタン及びタッチスクリーンを接触する際にそれぞれ発生されるタッチ信号である。
【０１２０】
もう一実現方法として、当該装置は、
第２タッチ信号、及び、隣接タッチボタンが同一な時間に取得した第４タッチ信号に基づいて、タッチ対象が指紋認識素子の正しい収集位置に位置するか否かを検出するための第２検出モジュール１１５４
をさらに備え、
ウェークアップモジュール１１６０は、タッチ対象が指紋認識素子の正しい収集位置に位置すると、指紋認識素子をウェークアップし、
ここで、第２タッチ信号及び第４タッチ信号は、タッチ対象が同時にタッチボタン及び隣接タッチボタンを接触する際にそれぞれ発生されるタッチ信号である。
【０１２１】
オプションとして、当該装置は、
タッチスクリーンが第１タッチ信号を取得する期間に、タッチスクリーンの、全部或いは一部エッジ領域を遮蔽領域に設定するための遮蔽モジュール１１８０をさらに備える。
【０１２２】
上記の実施例の装置について、その各モジュールが実行する操作の具体的な形態は既に当該方法に関するの実施例において詳細に説明したため、ここでは詳細に説明しない。
【０１２３】
図１３は、例示的な一実施例に係る素子ウェークアップ装置１３００を示すブロック図である。例えば、装置１３００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１２４】
図１３を参照して、装置１３００は、プロセスアセンブリ１３０２、メモリ１３０４、電源アセンブリ１３０６、マルチメディアアセンブリ１３０８、オーディオアセンブリ１３１０、入出力（Ｉ／Ｏ）インターフェイス１３１２、センサアセンブリ１３１４、及び通信アセンブリ１３１６のような一つ以上のアセンブリを含んでよい。
【０１２５】
プロセスアセンブリ１３０２は、一般的には装置１３００の全体の動作を制御するものであり、例えば、表示、電話呼び出し、データ通信、カメラ動作、及び記録動作と関連する動作を制御する。プロセスアセンブリ１３０２は、一つ以上のプロセッサ１３２０を含み、これらによって命令を実行することにより、上記の方法の全部、或は一部のステップを実現するようにしてもよい。なお、プロセスアセンブリ１３０２は、一つ以上のモジュールを含み、これらによってプロセスアセンブリ１３０２と他のアセンブリの間のインタラクションを容易にするようにしてもよい。例えば、プロセスアセンブリ１３０２は、マルチメディアモジュールを含み、これらによってマルチメディアアセンブリ１３０８とプロセスアセンブリ１３０２の間のインタラクションを容易にするようにしてもよい。
【０１２６】
メモリ１３０４は、各種類のデータを記憶することにより装置１３００の動作を支援するように構成される。これらのデータの例は、装置１３００において動作するいずれのアプリケーションプログラム又は方法の命令、連絡対象データ、電話帳データ、メッセージ、画像、ビデオ等を含む。メモリ１３０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１２７】
電源アセンブリ１３０６は、装置１３００の多様なアセンブリに電力を供給する。電源アセンブリ１３０６は、電源管理システム、一つ以上の電源、及び装置１３００のための電力の生成、管理及び割り当てに関連付けられている他のアセンブリを含んでもよい。
【０１２８】
マルチメディアアセンブリ１３０８は、前記装置１３００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１３０８は、一つのフロントカメラ、及び／又はリアカメラを含む。装置１３００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２９】
オーディオアセンブリ１３１０は、オーディオ信号を入出力するように構成されてもよい。例えば、オーディオアセンブリ１３１０は、一つのマイク（ＭＩＣ）を含み、装置１３００が、例えば呼出しモード、記録モード、及び音声認識モード等の動作モードにある場合、マイクは外部のオーディオ信号を受信することができる。受信されたオーディオ信号は、さらにメモリ１３０４に記憶されたり、通信アセンブリ１３１６を介して送信されたりされる。上記の実施例において、オーディオアセンブリ１３１０は、オーディオ信号を出力するための一つのスピーカーをさらに含む。
【０１３０】
Ｉ／Ｏインターフェイス１３１２は、プロセスアセンブリ１３０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１３１】
センサアセンブリ１３１４は、装置１３００に各種の状態に対する評価を提供するための一つ以上のセンサを含む。例えば、センサアセンブリ１３１４は、装置１３００のＯＮ／ＯＦＦ状態、装置１３００のディスプレイとキーパッドのようなアセンブリの相対的な位置決めを検出できる。また、例えば、センサアセンブリ１３１４は、装置１３００、或は装置１３００の一つのアセンブリの位置変更、ユーザと装置１３００とが接触しているか否か、装置１３００の方位、又は加速／減速、装置１３００の温度の変化を検出できる。センサアセンブリ１３１４は、何れの物理的接触がない状態にて付近の物体の存在を検出するための近接センサを含んでもよい。センサアセンブリ１３１４は、撮影アプリケーションに適用するため、ＣＭＯＳ、又はＣＣＤ画像センサのような光センサを含んでもよい。上記の実施例において、当該センサアセンブリ１３１４は、加速度センサ、ジャイロスコープセンサ、磁気センサ、圧力センサ、及び温度センサをさらに含んでもよい。
【０１３２】
通信アセンブリ１３１６は、装置１３００と他の機器の間に有線、又は利便性のよい形態の通信を提供する。装置１３００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１３１６は、放送チャンネルを介して外部の放送管理システムからの放送信号、又は放送に関連する情報を受信する。一つの例示的な実施例において、前記通信アセンブリ１３１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１３３】
例示的な実施例において、装置１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３４】
例示的な実施例において、さらに、命令を含むコンピュータ読取り可能な非一時的な記録媒体、例えば命令を含むメモリ１３０４を提供しており、装置１３００のプロセッサ１３２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０１３５】
コンピュータ読取り可能な非一時的な記録媒体は、当該記録媒体中の命令が装置１３００のプロセッサによって実行される際に、装置１３００に、上記の方法を実行させる。
【０１３６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３７】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。 
【図１】
0006317521.tif 000002
【図２】
0006317521.tif 000003
【図３Ａ】
0006317521.tif 000004
【図３Ｂ】
0006317521.tif 000005
【図４】
0006317521.tif 000006
【図５Ａ】
0006317521.tif 000007
【図５Ｂ】
0006317521.tif 000008
【図６】
0006317521.tif 000009
【図７】
0006317521.tif 000010
【図８】
0006317521.tif 000011
【図９】
0006317521.tif 000012
【図１０】
0006317521.tif 000013
【図１１】
0006317521.tif 000014
【図１２】
0006317521.tif 000015
【図１３】
0006317521.tif 000016